(57)【要約】  【課題】  交差点等の右左折中にステアリングを進行方向と逆に回動させた場合でも、回動が終了する時点まで方向指示器の消灯を防止することができるナビゲーション装置を提供する。  【解決手段】  ナビゲーション装置Ｎは、車両前方における交差点に近接したところで運転者が方向指示器操作スイッチ１３を操作すると、車両が交差点の右左折が終わるまで方向指示器１２の点灯を制御し、右左折を行う交差点において車両の回動方向と逆の方向に運転者がステアリングを一時的に操作しても、方向指示器制御手段１０が交差点の右左折中であると判断し、方向指示器１２の点灯を維持する。【選択図】  図４
2007112327.tif 000002
【特許請求の範囲】
【請求項１】
道路地図及び前記道路地図上における自車位置を出力する経路案内手段と、
前記経路案内手段の経路出力に基づいて自車前方に存在する右左折を行う分岐点を検出する分岐点検出手段と、
運転者の右左折の意図を他の車に通知する方向指示器の操作と、
前記分岐点検出手段で検出された分岐点が一致した際に前記方向指示器を制御する方向指示器制御手段と、
を備えて構成されることを特徴とするナビゲーション装置。
【発明の詳細な説明】
【技術分野】
【０００１】
本発明は、車両の回動方向を方向指示灯の点滅（点灯）によって周囲に放置する車両用方向指示器の制御に関する。
【背景技術】
【０００２】
従来、乗用車には周囲の歩行者や他の車両の運転者に対して乗用車が左右いずれかの方向に回動しようとしているかを通知するための方向指示器が備えられている。この方向指示器は、運転者がステアリング近傍に備えられた方向選択スイッチを操作することで、方向指示器の点灯又は消灯することができるように構成されている。
【０００３】
また、乗用車の右左折終了後に自動的に方向選択スイッチを初期状態に戻して方向指示器の点灯を消灯させる車両用方向指示器がある。この車両用方向指示器は、車両の回動が終了したことを、ステアリングの蛇角センサと、車両の回動方向の角速度を検出する角速度検出手段から車両の回動が終了したか否かを判定し、終了と判定したときに自動的に方向指示器の点灯を消灯させるように構成されている（例えば、特許文献１参照）。
【特許文献１】特開平５−３１９１６９号公報
【発明の開示】
【発明が解決しようとする課題】
【０００４】
しかしながら、従来の車両用方向指示器では、例えば、右折時に一旦ステアリングを左方向に回動させて車両の態勢を立てなおしたりすると、蛇角センサが右折の終了と判断してしまい右折が終わっていないにも関わらず方向指示器が消灯してしまう恐れがある。また、低速で分岐点を回動してしまうと、車両の角速度検出手段が車両の角速度検出することができずに、回動が終了していないにもかかわらず方向指示器が消灯してしまう恐れがあった。
【０００５】
そこで本発明は、従来の問題を解決するためになされたもので、交差点等の右左折中にステアリングを進行方向と逆に回動させた場合でも、回動が終了する時点まで方向指示器の消灯を防止することができるナビゲーション装置を提供することを目的とする。
【課題を解決するための手段】
【０００６】
本発明のナビゲーション装置は、道路地図及び前記道路地図上における自車位置を出力する経路案内手段と、前記経路案内手段の経路出力に基づいて自車前方に存在する右左折を行う分岐点を検出する分岐点検出手段と、運転者の右左折の意図を他の車に通知する方向指示器の操作と前記分岐点検出手段で検出された分岐点が一致した際に前記方向指示器を制御する方向指示器制御手段とを備えて構成されている。
【０００７】
このように構成されたナビゲーション装置によれば、経路案内手段を用いて自車位置から目的地までの間に自車前方に存在する右左折を行う分岐点を道路地図から分岐点検出手段で検出し、運転者の右左折における方向指示器の操作と分岐点検出手段で検出された分岐点とが一致した時に方向指示器制御手段で方向指示器の点灯を制御することで、例えば、分岐点を右折中にステアリングが一旦左方向に回動されても方向指示器の消灯を防止することができる。このため、経路案内における右左折を行う分岐点と運転者の方向指示器の操作が一致した場合には、分岐点の右左折が終了するまで方向指示器を消灯させることがなく点灯させることができる。なお、分岐点の右左折中に運転者が方向指示器の操作を行った場合には、方向指示器制御手段の制御が解除されるように構成され、運転者の操作に切り替わるように構成されている。
なお、方向指示器操作手段とは、車両のステアリング付近に設けられた、いわゆるウインカースイッチである。また、方向指示器操作手段は、車両のウインカースイッチの回路に接続して使用することもできる。
【発明の効果】
【０００８】
本発明は、経路案内手段の経路出力に基づいて自車前方に存在する右左折を行う分岐点を検出し、運転者の右左折の意図を他の車に通知する方向指示器の操作と経路案内における右左折を行う分岐点とが一致したときに、車両の回動が終了するまで方向指示器を点灯させるように制御するため、分岐点の回動時にステアリングが逆方向に回動した場合でも方向指示器の消灯を防止することができる。
【発明を実施するための最良の形態】
【０００９】
以下、本発明の実施の形態について、図面を用いて説明する。
図１は、本発明の実施の形態におけるナビゲーション装置の構成を図１に示す。
【００１０】
図１に示すように、ナビゲーション装置Ｎは、ＣＰＵ１と、ＲＯＭ２と、ＲＡＭ３と、速度センサ４、方位センサ５と、ＧＰＳセンサ６と、ＨＤＤ７と、表示装置８と、入力装置９と、方向指示器制御手段１０と、蛇角センサ１１と、方向指示器１２と、方向指示器操作スイッチ１３とを備えて構成されている。
【００１１】
ここで、ナビゲーション装置Ｎを構成したＣＰＵ１は、ＲＯＭ２と、ＲＡＭ３と、速度センサ４、方位センサ５と、ＧＰＳセンサ６と、ＨＤＤ７と、表示装置８と、入力装置９と、方向指示器制御手段１０の制御を行うものである。
ＲＯＭ２は、ナビゲーション装置Ｎの動作時に必要なプログラムを格納するメモリであり、ＲＡＭ３は、ナビゲーション装置Ｎの入力装置９やＣＰＵ１のデータを保持するものである。
【００１２】
速度センサ４は、車両の速度を検出して経路案内時に適切な経路案内を行うために使用するものである。また、速度センサ４の代わりに車両の車速パルスから速度を検出するように構成してもよい。
方位センサ５は、自車方向の進行方向を検出しＧＰＳセンサ６と速度センサ４から入力される情報から正確な自車方向の進行方向を検出することができるものである。
【００１３】
ＧＰＳセンサ６は、衛星からのＧＰＳデータを受信して受信点の位置（緯度、経度）を求めることができるものである。
ＨＤＤ７は、道路地図データや施設情報等の電子地図データが保存されたハードディスクドライブであり、道路上の交差点の位置や、信号機の位置などが電子地図として保存されている。
【００１４】
表示装置８は、ナビゲーション装置Ｎにおける地図データや経路案内における経路等を表示することができるものである。
入力装置９は、ナビゲーション装置Ｎの経路設定時や機能選択時等を入力したり選択したりすることができる。
【００１５】
方向指示器制御装置１０は、ナビゲーション装置Ｎの経路案内時に右左折を行う交差点（分岐点）を検出すると共に、検出された右左折を行う交差点に近接して経路案内方向と運転者が方向指示器操作スイッチ１３の操作とが一致したときには、蛇角センサ１１で方向指示器１２の消灯指示が出ても方向指示器１２の消灯しないように構成されていている。
【００１６】
蛇角センサ１１は、車両のステアリングに設けられたステアリングの切れ角を検出するセンサであり、右左折を行うときに点灯させる方向指示器１２をステアリングの切れ角に応じて、右左折が終了したと判断して方向指示器１２を消灯させるものである。
方向指示器１２は、車両に設けられ、車両の前方及び後方の車両又は人に対して車両の右左折を行う方向を通知するものであり、一般的にウインカーと言われているものである。
【００１７】
方向指示器操作スイッチ１３は、車両のステアリングの近接された箇所に設けられており、車両が右左折を行う際に、運転者が他の車や人に対して車両の進行方向を提示するために方向指示器１２を点灯させるためのスイッチである。また、方向指示器操作スイッチ１３は、右左折が終了したと蛇角センサ１１を用いてステアリングの切れから判断されると、方向指示器１２を消灯させるように方向指示器操作スイッチ１３が移動するように構成されている。
【００１８】
このように構成された車両に搭載されたナビゲーション装置Ｎは、ＧＰＳセンサ６を用いて自車位置を算出し、ナビゲーション装置Ｎの地図データを用いて表示装置８に現在位置の道路地図及びこの道路地図上に自車位置を表示する。車両が移動すると、車両の設けられたＧＰＳセンサ６、速度センサ４（車速パルス）、方位センサ４で車両の移動が検出され、車両の進行方向前方に交差点があるか否かをナビゲーション装置Ｎの地図データから検出する。
【００１９】
このとき、車両の進行方向前方に交差点があるか否かを地図データで検出し、その検出された交差点に近接した位置で運転者によって方向指示器操作スイッチ１３が操作されると、方向指示器制御手段１３に交差点で右左折がおこなわれることを送信されると共に方向指示器１２を点灯させる。
【００２０】
そして、交差点を車両が右左折したか否かをナビゲーション装置Ｎの自車位置から判断し、交差点内で蛇角センサ１１から車両のステアリングの戻りがあったと判断された場合でも方向指示器１２の点灯を維持し、自車位置から交差点の右左折が終了したことが判断されると方向指示器１２を消灯する。
【００２１】
このように構成されたナビゲーション装置Ｎは、車両前方における交差点に近接したところで運転者が方向指示器操作スイッチ１３を操作すると、車両が交差点の右左折が終わるまで方向指示器１２の点灯を制御し、右左折を行う交差点において車両の回動方向と逆の方向に運転者がステアリングを一時的に操作しても、方向指示器制御手段１０が交差点の右左折中であると判断し、方向指示器１２の点灯を維持することができる。なお、方向指示器制御手段１０で方向指示器１２の点灯を維持しているとき、運転者が方向指示器操作スイッチ１３を操作すると方向指示器制御手段１０における方向指示器１２の点灯制御を中止し運転者の操作に対応するように構成されている。
【００２２】
次に、方向指示器制御手段１０の動作についてフロー図を用いて説明する。
図２は、方向指示器制御手段の動作を示すフロー図である。
図２に示すように、ナビゲーション装置Ｎの方向指示器制御手段１０は、自車位置の進行方向に対して交差点があるか否かをナビゲーション装置Ｎの地図データで検出すると共に、方向指示器操作スイッチ１３の操作を監視する。そして、方向指示器操作スイッチ１３が操作されると（Ｓ１、ＹＥＳ）、方向指示器操作スイッチ１３が操作された場所から近接した進行方向の交差点であるか否かをナビゲーション装置Ｎの地図データを用いて判断する（Ｓ２）。ここで、進行方向にある交差点であると判断されると（Ｓ２，ＹＥＳ）、方向指示器制御手段１０で方向指示器１２を点灯させる（Ｓ３）。
【００２３】
そして車両が交差点の右左折を開始すると、蛇角センサ１１でステアリングの蛇角を読み込む（Ｓ４）。そして、蛇角センサ１１でステアリングの戻りが検出されると（Ｓ５、ＹＥＳ）、自車位置が右左折中の交差点内か否かをナビゲーション装置Ｎの地図データから方向指示器制御手段１０が判断する（Ｓ６）。
【００２４】
このとき、交差点内であると判断すると（Ｓ６、ＹＥＳ）、方向指示器１２の点灯を維持し（Ｓ３）、再度、蛇角センサ１１でステアリングの蛇角を読み込む（Ｓ４）。そして、再度、蛇角センサ１１でステアリングの戻しを検出され（Ｓ５，ＹＥＳ）、自車位置が交差点内で無いと方向指示器制御手段１０が判断すると（Ｓ６、ＮＯ）、方向指示器１２を消灯させる（Ｓ１０）。
【００２５】
なお、ナビゲーション装置Ｎの地図データにおける交差点でないところで方向指示器操作スイッチ１３の操作が行われると、方向指示器制御手段１０は経路案内における右左折を行う交差点で無いと判断し（Ｓ２、ＮＯ）、方向指示器操作スイッチ１３の操作に基いて方向指示器１２を点灯させ（Ｓ７）、蛇角センサ１１でステアリングの戻りを検出する（Ｓ８）。そして、蛇角センサ１１でステアリングの戻しが検出されると（Ｓ９）、方向指示器１２を消灯させる（Ｓ１０）。
また、ステアリングの戻しを検出できないときは（Ｓ５、ＮＯ）、蛇角センサ１１でステアリングの蛇角を読み続けステアリングの戻しが検出されるか、方向指示器操作スイッチ１３で方向指示器１２の消灯操作が行われるまで方向指示器１２の点灯を継続するように構成されている。
【００２６】
このように構成されたナビゲーション装置Ｎは、現在位置から進行方向前方にある交差点をナビゲーション装置Ｎの地図データから検出し、検出された交差点において経路案内方向に方向指示器操作スイッチ１３が操作されると、交差点の右左折中にステアリングの戻しが蛇角センサ１１で検出された場合でも、車両が交差点の右左折が終了するまで方向指示器１２の点灯を方向指示器制御手段１０で制御することができる。
【００２７】
次に、一例として経路案内中の右折を行う交差点の方向指示器制御手段１０の動作について図面を用いて説明する。なお、車両の進む方向をＹとして仮定して記載する。
【００２８】
図３に示すように、車両が道路Ｒ１を進行しているときにナビゲーション装置Ｎが自車位置Ｍの前方に交差点エリアＡがあると判断し、道路Ｒ２に曲がるために運転者が方向指示器操作スイッチ１３を操作すると車両が交差点エリアＡで右折することを方向指示器制御手段１０に送信し、右折方向の方向指示器１２を点灯させる。
【００２９】
そして、交差点エリアＡで車両が右折中にステアリングが一時的に左方向に戻されたことが蛇角センサ１１で検出されても、方向指示器制御手段１０が交差点エリアＡに車両が位置していることを検出しているので方向指示器１２の点灯を継続させる。そして、車両の右折が終わり交差点エリアＡから離脱したとナビゲーション装置Ｎの地図データにおける自車位置から検出されると、交差点エリアＡから離脱したことを方向指示器制御手段１０に送信し方向指示器１２を消灯する。このため、交差点エリアＡを右折中にステアリングが一時的に左方向に戻されても方向指示器１２を消灯させることがなく、交差点エリアＡの右折が終了するまで方向指示器１２の点灯を維持することができる。
【００３０】
ここでナビゲーション装置Ｎの交差点エリアＡの動作について図面を用いて詳細に説明する。図４（ａ）から図４（ｃ）は、交差点エリアを通過する自車位置の軌跡を示した概略図である。
【００３１】
図４（ａ）に示すように、自車位置Ｍの進行方向にある交差点エリアＡに近づき右折レ
ーンに入ると共に運転者が右折方向の方向指示器１２をだすために方向指示器操作スイッチ１３で操作すると、方向指示器制御手段１０は、交差点エリアＡで右折すると判断し、方向指示器１２を点灯させる。
【００３２】
そして、図４（ｂ）に示すように交差点エリアＡ内を走行しているとき、一時的にステアリングが戻され蛇角センサ１１でステアリングの戻しが検出された場合でも、方向指示器制御手段１０は、ナビゲーション装置Ｎの地図データと自車位置の情報から交差点エリアＡを通過していることを検出しているため、方向指示器１２を消灯させず右折方向の方向指示器１２の点灯が維持される。
【００３３】
そして、図４（ｃ）に示すように、交差点エリアＡを自車位置Ｍが通過し道路Ｒ２に移ると自車の右折が終了したと判断し、方向指示器制御手段１０が方向指示器１２を消灯する。
【００３４】
このように経路案内と一致した経路Ｘの交差点を右折するために交差点エリアＡ進入し、運転者が方向指示器操作スイッチ１３を操作して右折方向の方向指示器１２をだすと、方向指示器制御手段１０は、交差点エリアＡを通過するまでに蛇角センサ１１でステアリングの戻りを検出しても方向指示器１２の点灯を維持し、右折が終わり交差点エリアＡから離れたときに方向指示器１２を消灯させることができる。
なお、交差点エリアＡ内で運転者が方向指示器操作スイッチ１３を操作した場合には、運転者の操作を優先し、方向指示制御手段１０の制御が解除されるように構成されることが好ましい。
【００３５】
次に、道路Ｒ１から道路Ｒ２に交差点エリアＡで右折したあとのナビゲーション装置Ｎの動作について説明する。図５（ａ）〜（ｂ）は、図３に示したナビゲーション装置の動作の続きを示す概略図である。
図５（ａ）に示すように、車両が道路Ｒ２を進行しているときにナビゲーション装置Ｎが自車位置Ｍの前方に交差点エリアＢがあると判断し、道路Ｒ３に曲がるために運転者が方向指示器操作スイッチ１３を操作すると、車両が交差点エリアＢで左折することを方向指示器制御手段１０に送信し、左折方向の方向指示器１２を点灯させる。
【００３６】
そして、交差点エリアＢで車両が左折中にステアリングが一時的に右方向に戻されたことが蛇角センサ１１で検出されても、方向指示器制御手段１０が交差点エリアＢに車両が位置していることを検出しているので方向指示器１２の点灯を継続させる。そして、車両の左折が終わり交差点エリアＡから離脱したとナビゲーション装置Ｎの地図データにおける自車位置から検出されると、交差点エリアＢから離脱したことを方向指示器制御手段１０に送信し方向指示器１２を消灯する。このため、交差点エリアＢを右折中にステアリングが一時的に左方向に戻されても方向指示器１２を消灯させることがなく、交差点エリアＢの左折が終了するまで方向指示器１２の点灯を維持することができる。
【００３７】
また、車両が道路Ｒ３を進行しているときにナビゲーション装置Ｎが自車位置Ｍの前方に交差点エリアＣがあると判断し、運転者が方向指示器操作スイッチ１３を操作しないときは、車両は交差点エリアＣで右左折を行わないと方向指示器制御手段１０で判断する。
【００３８】
このように、自車位置から自車前方にある交差点エリアをナビゲーション装置Ｎの地図データから検出し、交差点エリアで方向指示器操作スイッチ１３が操作された方向指示器１２を点灯させ、蛇角センサ１１でステアリングの戻りが検出されても、方向指示器１２の点灯を維持することができる。
【００３９】
次に、第二の実施の形態について図面を用いて詳細に説明する。なお、ナビゲーション
装置の構成は、第一の実施の形態で示したものと同様であり、詳細な説明は省略する。
【００４０】
車両に搭載されたナビゲーション装置Ｎ（図１参照）は、ＧＰＳセンサ６を用いて自車位置を算出し、ナビゲーション装置Ｎの地図データを用いて表示装置８に現在位置の道路地図及びこの道路地図上に自車位置を表示する。また、ナビゲーション装置Ｎで目的地が設定されると現在位置から目的地までの最適な経路を地図データから探索する。このとき、現在位置から目的地までの経路が探索されると、方向指示器制御装置１０は、経路中における右左折を行う交差点を検出して右左折を行う各交差点の位置情報をＲＡＭ３に記録しておく。また、表示装置８には、車両の進行に合わせ自車位置と道路地図を表示することができるように構成されている。
【００４１】
自車の現在位置から目的地に向けて経路案内が始まると、自車の進行方向を速度センサ４、方位センサ５と、ＧＰＳセンサ６から算出し、現在位置からの経路案内時に右左折を行う交差点が自車方向の前方にあるか否かを判断する。このとき、右左折を行う交差点があると判断されると、ナビゲーション装置Ｎは右左折する交差点があることを表示装置８に表示及び／又は音声で運転者に通知すると共に方向指示器制御装置１０に右左折を行う交差点が接近してきていることを送信する。
【００４２】
そして、経路案内中における右左折を行う交差点で運転者が方向指示器操作スイッチ１３を操作すると、右左折が終了するまで方向指示器１２の点灯が継続され、方位センサ４で交差点の右左折が終了、つまり、ナビゲーション装置Ｎの表示装置８に表示された交差点の道路地図から自車位置が離脱したときに右左折が終了したと判断すると方向指示器制御手段１０が方向指示器１２を消灯する。
【００４３】
このため、経路案内の右左折を行う交差点において車の回動方向と逆の方向に運転者が操作し蛇角センサ１１が方向指示器１２を消灯するように方向指示器制御手段１０に指示を送信しても、方向指示器制御手段１０は、ナビゲーション装置Ｎの経路案内に従って右左折中であると判断し、方向指示器１２の点灯を維持することができる。なお、方向指示器制御手段１０で方向指示器１２の点灯を維持しているとき、運転者が方向指示器操作スイッチ１３を操作すると方向指示器制御手段１０における方向指示器１２の点灯制御を中止し運転者の操作に対応するように構成されている。
【００４４】
このように構成された方向指示器制御手段１０の動作についてフロー図を用いて説明する。図６は、第２の実施の形態における方向指示器制御手段の動作を示すフロー図である。
【００４５】
図６に示すように、ナビゲーション装置Ｎの方向指示器制御手段１０は、経路案内中の方向指示器操作スイッチ１３の操作を監視し、方向指示器操作スイッチ１３が操作されたとき（Ｓ１１、ＹＥＳ）、方向指示器操作スイッチ１３が操作された場所が経路案内における右左折を行う交差点であるか否かをＲＡＭ３に記憶されている右左折を行う交差点の位置情報で判断する（Ｓ１２）。ここで、経路案内における右左折を行う交差点であると判断されると（Ｓ１２，ＹＥＳ）、方向指示器制御手段１０で方向指示器１２を点灯させる（Ｓ１３）。
【００４６】
方向指示器１２が点灯したあと経路案内中の交差点で右左折が始まると、蛇角センサ１１でステアリングの蛇角を読み込む（Ｓ１４）。そして、蛇角センサ１１でステアリングの戻りが検出されると（Ｓ１５、ＹＥＳ）、自車の現在位置が右左折中の交差点内か否かをナビゲーション装置Ｎの地図データから判断する（Ｓ１６）。
【００４７】
このとき、交差点内であると判断されると（Ｓ１６、ＹＥＳ）、方向指示器１２の点灯
を維持し（Ｓ１３）、再度、蛇角センサ１１でステアリングの蛇角を読み込む（Ｓ１４）。そして、再度、蛇角センサ１１でステアリングの戻しを検出され（Ｓ１５，ＹＥＳ）、ナビゲーション装置Ｎの地図データから自車位置が交差点内で無いと判断されると（Ｓ１６、ＮＯ）、方向指示器１２を消灯させる（Ｓ２０）。
【００４８】
なお、方向指示器制御手段１０が方向指示器操作スイッチ１３の操作が経路案内における右左折を行う交差点で無いと判断すると（Ｓ１２、ＮＯ）、方向指示器操作スイッチ１３の操作に基いて方向指示器１２を点灯させ（Ｓ１７）、蛇角センサ１１でステアリングの戻りを検出し（Ｓ１８）、ステアリングの戻しが検出されると（Ｓ１９）、方向指示器１２を消灯させる（Ｓ２０）。
また、ステアリングの戻しを検出できないときは（Ｓ１５、ＮＯ）、蛇角センサ１１でステアリングの蛇角を読み続け、ステアリングの戻しが検出されるか、方向指示器操作スイッチ１３で操作されるまで方向指示器１２の点灯を継続するように構成されている。
【００４９】
このように構成されたナビゲーション装置Ｎは、目的地が設定された際に、現在位置から目的地までの経路中における右左折を行う交差点を抽出し、抽出された交差点において経路案内方向に方向指示器操作スイッチ１３が操作されると、交差点の右左折中にステアリングの戻しが蛇角センサ１１で検出された場合でも、車両が経路中の交差点の右左折が終了するまで方向指示器１２の点灯を方向指示器制御手段１０で制御することができる。
なお、経路案内における右左折を行う交差点内で、運転者が経路案内とは逆方向に方向指示器操作スイッチを操作したときは、運転者の操作に切り替わるように構成されている。
【００５０】
次に、経路案内における方向指示器制御手段１０の動作について図面を用いて説明する。
図７（ａ）は、経路が決定されたときに経路中の交差点がリストアップされた状態を示す概念図であり、図７（ｂ）は、図７（ａ）における経路中の右折を行う交差点として交差点エリアが設定された状態を示す概念図である。
【００５１】
車両に搭載されたナビゲーション装置Ｎは、ＧＰＳセンサ６を用いて自車位置を算出し、ナビゲーション装置Ｎの表示装置に現在位置と共に自車位置を表示する。ナビゲーション装置Ｎで目的地が設定されると現在位置から目的地までの最適な経路案内を算出し、図７（ａ）に示すように経路案内中における交差点Ｄ１、Ｅ１、Ｆ１・・・を検出する。
【００５２】
そして、図７（ｂ）に示すように、交差点Ｄ１に自車位置Ｍが接近し、運転者によって方向指示器操作スイッチ１３が操作されると、経路案内中における交差点での右左折を行う交差点か否かを方向指示器制御手段１０で判断する。そして方向指示器制御手段１０で経路案内中における交差点であると判断されると、交差点Ｄの右折範囲として交差点エリアＤが設定される。
【００５３】
そして、右折が設定された交差点エリアＤの中に自車位置Ｍが位置しているか否かをナビゲーション装置Ｎの地図データから判断し、交差点エリアＤの中にいる、つまり、交差点Ｄ１を右折中であると判断されると、右折中にハンドルを一時的に左方向に戻したときに蛇角センサ１１が右折終了と判断した場合でも、方向指示器制御手段１０は交差点エリアＤに自車位置があることが検出されているので方向指示器１２の点灯を継続させる。
【００５４】
このように構成されたナビゲーション装置Ｎは、経路案内中における右左折を行う交差点を検出し、検出された交差点において運転者が方向指示器操作スイッチ１３を操作すると、その交差点が経路案内中における右左折を行う交差点であった場合には、方向指示器制御手段１０で交差点エリアとして特定して方向指示器１２の点灯を維持するので、交差
点エリアにおいて蛇角センサ１１で旋回方向と逆の方向にステアリングの戻りがあった場合でも方向指示器１２の点灯を維持することができる。
【００５５】
以上、第１の実施の形態及び第２の実施の形態で交差点に対しての本発明を説明したが、本発明はこれに限定されるものではなく、例えば、交差点ではなく分岐点のような場合でも同様に用いることができる。
【産業上の利用可能性】
【００５６】
以上のように、本発明にかかるナビゲーション装置は、自車前方にある交差点（分岐点）を自車位置及び地図データから検出し、検出された交差点で運転者によって方向指示器を点灯する操作が行われると、交差点の旋回が終了するまで方向指示器の点灯を維持し、ステアリングの戻りによって方向指示器が消灯されてしまうことを防止することができるという効果を有し、例えば、道路地図表示装置や経路誘導を行うナビゲーション装置等に有用である。
【図面の簡単な説明】
【００５７】
【図１】本発明におけるナビゲーション装置の構成を示すブロック図
【図２】第１の実施の形態におけるナビゲーション装置の処理を示すフロー図
【図３】第１の実施の形態において交差点を右折する際にナビゲーション装置の処理を示す概略図
【図４】（ａ）〜（ｃ）は、図３で示した交差点エリアを通過するときのナビゲーション装置の処理を示す概略図
【図５】（ａ）〜（ｂ）は、図３に示したナビゲーション装置の動作の続きを示す概略図
【図６】第２の実施の形態における方向指示器制御手段の動作を示すフロー図
【図７】（ａ）は、第２の実施の形態において、ナビゲーション装置で経路が決定されたときに経路中の交差点がリストアップされた状態を示す概念図（ｂ）は、図７（ａ）における経路中の右折を行う交差点として交差点エリアが設定された状態を示す概念図
【符号の説明】
【００５８】
１  ＣＰＵ
２  ＲＯＭ
３  ＲＡＭ
４  速度センサ
５  方位センサ
６  ＧＰＳセンサ
７  ＨＤＤ
８  表示装置
９  入力装置
１０  方向指示器制御手段
１１  蛇角センサ
１２  方向指示器
１３  方向指示器操作スイッチ
Ａ  交差点エリア
Ｂ  交差点エリア
Ｃ  交差点エリア
Ｄ  交差点エリア
Ｎ  ナビゲーション装置
Ｍ  自車位置
Ｘ  経路
Ｄ１  交差点
Ｅ１  交差点
Ｆ１  交差点
Ｒ１  道路
Ｒ２  道路
Ｒ３  道路
Ｒ４  道路
【図１】
2007112327.tif 000003
【図２】
2007112327.tif 000004
【図３】
2007112327.tif 000005
【図４】
2007112327.tif 000006
【図５】
2007112327.tif 000007
【図６】
2007112327.tif 000008
【図７】
2007112327.tif 000009